(57)【要約】【課題】  色彩豊かな色情報を連続的に複数枚のページに対して変化させることで、偽造及び改ざんへの抵抗力及び真偽判別の容易性の向上を図った偽造及び改ざん防止冊子を提供する。【解決手段】  本発明は、複数枚のページを有する冊子において、複数枚のページは、一つのページの綴じ部を除く少なくとも１端を含む領域に、１色以上の色彩から成る色彩変化領域を備え、色彩変化領域は、複数枚のページにおいて、同じ辺に、かつ、ページの積載方向となる第１の方向に連続的に色彩が変化して形成されたことを特徴とする可変要素を盛り込んだ偽造防止冊子である。【選択図】  図１
2016060100.tif 000002
【特許請求の範囲】
【請求項１】
複数のページを有する冊子において、
前記複数のページは、一つのページの綴じ部を除く少なくとも１端を含む領域に、１色以上の色彩から成る色彩変化領域を備え、
前記色彩変化領域は、前記複数のページにおいて、同じ辺に、かつ、ページの積載方向となる第１の方向に連続的に色彩が変化して形成されたことを特徴とする色彩可変要素を盛り込んだ偽造及び改ざん防止冊子。
【請求項２】
前記色彩変化領域は、前記複数のページにおいて、ページの左右方向となる第２の方向及び／又はページの上下方向となる第３の方向に、連続的に徐々にずれた位置に配置されていることを特徴とする請求項１記載の色彩可変要素を盛り込んだ偽造及び改ざん防止冊子。
【請求項３】
前記色彩変化領域は、前記複数のページの一つのページの中で、前記第２の方向及び／又は前記第３の方向に連続的に色彩が変化していることを特徴とする請求項１又は２記載の色彩可変要素を盛り込んだ偽造及び改ざん防止冊子。
【請求項４】
前記複数のページは、表紙及び裏表紙に挟まれた冊子形態であることを特徴とする請求項１乃至３のいずれか１項記載の色彩可変要素を盛り込んだ偽造及び改ざん防止冊子の旅券としての使用。
【発明の詳細な説明】
【技術分野】
【０００１】
本発明は、旅券や通帳等の偽造及び改ざん防止効果を必要とする冊子類の分野において、冊子を構成している複数のページが連続的に色彩が変化する偽造及び改ざん防止冊子に関わるものである。
【背景技術】
【０００２】
セキュリティ性を有する印刷物には、金銭的な価値を有する印刷物の紙幣や有価証券、個人を証明するための戸籍謄本や住民票等の証明書類のように、偽造防止技術等を付与し、その価値、信用を枚葉で保証するセキュリティ印刷物と、旅券や預金通帳等のように、中身ページの枚葉のみならず、冊子全体の価値、信用を枚葉で保証するセキュリティ印刷物がある。
【０００３】
前者は、偽造及び改ざんを困難にしたり、真偽判別を容易にしたりするため、一枚葉ごとに金一な偽造防止技術、色彩、図柄を保持するように製造する必要がある、一枚葉ごとに偽造防止技術、色彩、図柄等が異なっていては、どれが真正なセキュリティ印刷物なのかわからなくなり、真偽判別が困難となってしまう。一枚葉ごとに可変して良いものは、番号等の小面積のもののみである。
【０００４】
後者は、それに加えて、他冊子から真正な中身ページ等を寄せ集めて冊子を偽造及び改ざんされてしまう可能性があるため、冊子全体を保証する冊子の特徴を活かした偽造防止技術が付与されている。例えば、冊子を湾曲させることにより冊子ページの面の端部側を部分的に露出させておき、画像情報に基づいて画像が形成された中間記録媒体を、画像情報が形成された面の側を冊子の画像情報形成面に面するように向けて重ねて加熱加圧することにより、露出された部分に中間記録媒体上の画像を転写し、好ましくは、冊子ページ面から冊子ページ切り口の端面にかけて連続した画像を転写する方法が開示されている（例えば、特許文献１参照）。
【０００５】
また、セキュリティ印刷物ではないが、複数のページから構成されている冊子に対して、１枚ごとに記載されている技術解説文に適応した写真を冊子の綴じ代側とは反対側の領域に形成し、前後のページは、最も近似した動き方をする写真とすることで、冊子の複数のページを連続的にめくると、形成されている写真が動画的に視認することが可能な連続写真小冊子が開示されている（例えば、特許文献２参照）。
【０００６】
【特許文献１】特許第３６３２４３９号公報
【特許文献２】実用新案登録第３０５７５６９号公報
【発明の開示】
【発明が解決しようとする課題】
【０００７】
特許文献１の技術に関しては、冊子の製造過程において、冊子を湾曲させた状態で、画像情報形成面に対して、画像情報が形成された中間記録媒体を圧着して形成していることにより、冊子を構成している複数のページ全体で画像情報を形成しているため、故意的に中間のページを抜き取った場合、画像情報の一部が欠落し、違和感のある画像となって偽造することが困難な効果を奏しているが、湾曲させた状態で画像情報を形成しているため、その湾曲時と同じ状態で湾曲させないと正しい画像情報が出現せず、確認する際に形成時と同じ湾曲状態とすることが困難であり、中間の１枚を抜き取っても、その事実を把握することが困難であるという問題があった。
【０００８】
また、特許文献１の技術に関しては、旅券や預金通帳等のセキュリティ性を要する冊子に、個人情報と関係のある情報、例えば、顔写真等の画像情報を形成することが記載されているが、冊子を湾曲させて冊子の側面に及んで画像情報を形成するためには、かなりのページ数を有した冊子でなければ、充分な画像情報を形成することができず、比較的薄い旅券や預金通帳に顔写真等の画像情報を形成することは、困難であるという課題があった。
【０００９】
また、特許文献２の技術に関しては、連続する複数のページに連続的な写真等を形成することで、連続的にページをめくると、一つの画像（人物等）が動画的に視認できる効果を奏しているが、従来から公知のパラパラ漫画と類似の技術であり、どの程度のコマ送りとするかにもよるところではあるが、中間の１枚を抜き取っても、その抜き取られた状態を発見することが非常に困難であり、そもそもセキュリティ性の要素として活用されるものでは無かった。
【００１０】
本発明は、前述した課題の解決を目的とするものであり、画像情報ではなく、色彩豊かな色情報を連続的に複数のページに対して変化させることで、偽造及び改ざんへの抵抗力及び真偽判別の容易性の向上を図った偽造及び改ざん防止冊子を提供する。
【課題を解決するための手段】
【００１１】
本発明は、複数のページを有する冊子において、複数のページは、一つのページの綴じ部を除く少なくとも１端を含む領域に、１色以上の色彩から成る色彩変化領域を備え、色彩変化領域は、複数のページにおいて、同じ辺に、かつ、ページの積載方向となる第１の方向に連続的に色彩が変化して形成されたことを特徴とする色彩可変要素を盛り込んだ偽造及び改ざん防止冊子である。
【００１２】
また、本発明の偽造及び改ざん防止冊子における色彩変化領域は、複数のページにおいて、ページの左右方向となる第２の方向及び／又はページの上下方向となる第３の方向に、連続的に徐々にずれた位置に配置されていることを特徴とする。
【００１３】
また、本発明の偽造及び改ざん防止冊子における色彩変化領域は、複数のページの一つのページの中で、第２の方向及び／又は第３の方向に連続的に色彩が変化していることを特徴とする。
【００１４】
さらに、本発明は、複数のページが表紙及び裏表紙に挟まれた冊子形態であることを特徴とする色彩可変要素を盛り込んだ偽造及び改ざん防止冊子の旅券としての使用とする。
【発明の効果】
【００１５】
本発明の偽造及び改ざん防止冊子は、１枚のページの色彩変化領域に色彩豊かな色情報を印刷し、その色情報がページごとに連続的に変化していくため、その印刷方法は高度な印刷技術を要さなければならず、セキュリティ性が非常に高い偽造及び改ざん防止冊子となる。
【図面の簡単な説明】
【００１６】
【図１】本発明における偽造及び改ざん防止冊子の第一の実施形態の一例を示す図である。
【図２】第一の実施形態における色彩変化領域の一例を説明する図である。
【図３】第一の実施形態における色彩変化領域の別の形態の例を示す図である。
【図４】色彩変化領域の例を説明する図である。
【図５】本発明における偽造及び改ざん防止冊子の第二の実施形態の一例を示す図である。
【図６】第二の実施形態における色彩変化領域の一例を説明する図である。
【図７】第二の実施形態における色彩変化領域の別の形態の例を示す図である。
【図８】第一の実施形態と第二の実施形態を組み合わせた形態を示す図である。
【図９】形状変化模様を形成した例を示す図である。
【図１０】インキ壺部を説明するための図である。
【図１１】インキ仕切り板を用いたダクトローラを示す図である。
【図１２】多面判に形成した色彩変化領域の例を示す図である。
【図１３】オフセット印刷機構にＩＪＰを設けた例を示す図である。
【図１４】複合印刷機を示す図である。
【発明を実施するための形態】
【００１７】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００１８】
（第一の実施形態）
まず、本発明について、図面を用いて説明する。図１に、本発明における偽造及び改ざん防止冊子（１）（以下、「冊子」という。）を示す。本実施の形態における冊子（１）は、表紙（９）と裏表紙（１０）の間に複数の記録用のページ（６）が綴じ部（１１）により一体化されており、例として、表紙の見返しページ（２）には、所有者の顔写真（３）と個人情報（４）、さらには、冊子番号（５）等が形成されている。なお、図１に示した冊子（１）は、一例に過ぎず、必ずしも見返しページ（２）に個人情報等が形成されていなければならないものではなく、冊子（１）を構成している複数のページ（６）のいずれかにセキュリティ性を要する情報が形成されていれば良い。すなわち、本発明における冊子（１）は、セキュリティ性を要する情報が、複数のページから成る冊子のいずれかに形成されている。
【００１９】
したがって、図１では、表紙（９）及び裏表紙（１０）を備えた冊子として図示しているが、後述する本発明の特徴点となる色彩変化領域（７）を備えたページ（６）を複数有した冊子であれば、必ず表紙（９）及び裏表紙（１０）を備えていなくても良い。
【００２０】
本発明の特徴として、冊子（１）における複数のページ（６）において、綴じ部（１１）を除く一つのページの少なくとも１端を含む領域に色彩変化領域（７）を有している。この色彩変化領域（７）は、図１に示すように、連続する複数のページ（６）において、連続的に色が変化している状態となっている。この綴じ部（１１）を除くページの端とは、綴じ部（１１）以外の三つの端部のことであり、本発明の特徴として、複数のページ（６）を連続的にめくった際に、色彩が連続的に変化するものであるため、綴じ部（１１）については、ページをめくった際には視認できないことから、その部分のみに色彩変化領域（７）を形成しても効果を奏さないためである。
【００２１】
本発明の特徴点である色彩変化領域（７）における「色彩」とは、色相及び色彩を含めたものであることに加え、濃度の濃い及び淡いも含めた広い意味を有している。したがって、色彩変化領域（７）が、例えば、異なるページ（６）において同じインキにより印刷されていても、インキ転移量の差により濃度が連続的に変化していても、本発明においては、色彩が変化しているとする。
【００２２】
なお、詳細は後述するが、綴じ部（１１）以外の端部の少なくとも一つの端部を含んで色彩変化領域（７）が形成されていれば、綴じ部（１１）まで色彩変化領域（７）としても良い。また、図１では、色彩変化領域（７）がページの上部の端部に接して形成されているが、必ずしも接していなくても、端部と色彩変化領域（７）との間が若干空いていても良い。したがって、冊子（１）をめくって色彩変化領域（７）が確認できる程度の位置に形成されていればよく、本発明において「ページの端部を含む領域」とは、ページをめくった際に、色彩変化領域（７）が確認できる端部側をいう。
【００２３】
また、色彩変化領域（７）については、複数のページの少なくとも同じ面側に形成されていなければならない。なお、ページの両面に形成されていても良く、その場合、一つのページを挟んで同じ位置に配置されていても良いが、一方の面に形成されている色彩変化領域（７）の位置と他方の面に形成されている色彩変化領域（７）の位置が異なっていても良い。
【００２４】
さらに色彩変化領域（７）について、図２から図５を用いて説明する。図２（ａ）は、複数のページ（６）を抜粋したものであり、色彩変化領域（７）は、図面上、ページ（６）の一部の上部に形成されている。なお、一つの冊子（１）において複数のページ（６）は、全て同じ辺（端部）に色彩変化領域（７）が形成されている。
【００２５】
図２（ａ）は、複数のページ（６）において、第１の方向（Ｓ１）に対して色彩変化領域（７）の色彩が連続的に徐々に変化している。さらに、図２（ｂ）は、色彩変化領域（７）のみを抜粋した図である。図２（ｂ）に示すように、色彩変化領域（７）は、ページ（６）の枚数に応じて、色彩変化領域（７−１、７−２、・・・、７−（ｎ−１）、７−ｎ）（ｎは自然数）が対応して変化している。例えば、図２（ｂ）では、色彩変化領域（７−１）がＲ色彩で、その次の色彩変化領域（７−２）がＲ色彩とＣ色彩の両方の色彩を備えたＲＣ色彩で、さらにその次の色彩変化領域（７−３）がＣ色彩というように、隣り合うページにおいて連続的に色彩が関連性を持って徐々に変化している。
【００２６】
このように、複数のページ（６）において、色彩変化領域（７）が連続的に変化した構成とすることで、冊子（１）のページ（６）を連続的にめくっていくと、色彩変化領域（７−１）から色彩変化領域（７―ｎ）へと、色彩がスムーズに異なる色へ変化した状態として視認することができる。したがって、仮に、偽造又は改ざんをしようと、他の冊子の真正なページ（６）を抜き取り、それを寄せ集めて冊子を構成させた場合、又は単にページ（６）を１枚抜き取った場合、スムーズな色彩変化とはならず、偽造又は改ざんしたことが容易に判明することとなる。
【００２７】
複数のページ（６）において形成される色彩変化領域（７）は、図３（ａ）に示すように、一つのページの中の一部（上部）に形成されているが、図３（ｂ）に示すように、一つのページの中の左端又は右端のどちらか、又は両方に形成されていても良い。仮に左右両方の端に色彩変化領域（７）を形成した場合、一つのページ内に形成された左右の色彩変化領域（７）が同じ色彩でも良いし、異なる色彩でも構わない。前述のとおり、図３（ｂ）の右端部側に形成されている色彩変化領域（７）は、端部側に若干の隙間を有して形成されている状態であるが、これも本発明では、「ページの端部を含む領域」に形成されているものである。さらには、図３（ｃ）に示すように、ページ全体が色彩変化領域（７）となっても良い。このページ全体が色彩変化領域（７）の場合は、前述のとおり、綴じ部（１１）まで含んだ領域となっている。
【００２８】
前述のとおり、本発明の冊子（１）は、複数のページ（６）を連続的にめくる行為により、連続的な色彩変化を用いて偽造又は改ざんを発見するための偽造防止技術であるため、めくった時に色彩変化領域（７）が視認できなければならないことから、一つのページ（６）の一部に色彩変化領域（７）を形成する場合、ページの端部に接する領域に形成されることが好ましい。
【００２９】
図４（ａ）は、ページ全体を色彩変化領域（７）とした例であり、複数のページ（６）が第１の方向（Ｓ１）に対して連続的に色彩変化した状態を示している。このように、ページ全体が色彩変化領域（７）の場合には、ページ（６）をめくる際に必ず色彩の変化を確認することが可能となるが、色彩により、あまり濃度が濃いと、ページ（６）に後から記載される必要事項（例えば、旅券の場合は入国情報であったり、預金通帳の場合は引き落とし年月日、金額等）の視認性に影響するため、ページ全体を色彩変化領域（７）とする場合には、その濃度において注意をする必要がある。
【００３０】
また、複数のページ（６）において、各ページ（６）には同じ地紋印刷が施され、かつ、色彩変化領域（７）は連続的に異なる色彩変化が施されていると、仮に偽造又は改ざんを行おうとしても、複数工程による印刷、又はかなり大掛かりな複合印刷機を要することとなり、さらに偽造難易度が高くなる。
【００３１】
さらに、一つのページ（６）における色彩変化領域（７）が、１色から形成されている点は前述までの形態と同様であるが、図４（ｂ）に示すように、隣り合うページ（６）ごとに徐々に色彩変化領域（７）の位置がページ（６）の左右方向となる第２の方向（Ｓ２）へ連続的にずれて行く構成でも良い。この場合、ページ（６）をめくって行くと、色彩が連続的に変化していくことに加え、徐々に位置もずれていくので、グラデーション的な視覚効果を奏することとなる。
【００３２】
（第２の実施形態）
第１の実施形態では、一つのページ内に形成される色彩変化領域（７）を単色とした場合で説明してきたが、本第二の実施形態では、図５に示すように、一つのページに形成される色彩変化領域（７）内において、グラデーションのように、連続的に色彩を変化させている。
【００３３】
このグラデーションについては、図５に示すように、無段階連続階調のグラデーションと、後述する図６に示すような段階的連続階調のグラデーションがある。さらに、段階的連続階調でも、隣り合う色彩同士に若干の隙間がある場合もある。これらの階調表現全てを本発明ではグラデーションと呼ぶ。なお、以下、実施の形態では、隙間を有さない図６に示すような段階的連続階調のグラデーション（以下、「グラデーション」という。）として説明する。
【００３４】
図６（ａ）は、冊子（１）の複数のページ（６）を抜粋した図である。図６（ａ）に示すように、色彩変化領域（７）は、複数のページ（６）に対して、前述と同様、一つのページの中の一部（上部）に形成され、第１の方向（Ｓ１）に対して連続的に色彩変化しているが、さらに、一つのページ内における色彩変化領域（７）においても、第２の方向（Ｓ２）に対してグラデーションを形成している。
【００３５】
さらに、図６（ｂ）は、色彩変化領域（７）のみを抜粋した図である。図６（ｂ）に示すように、色彩変化領域（７−１）は、左端がＲ色彩で、その隣りがＲ色彩とＣ色彩の両方の色彩を備えたＲＣ色彩で、さらに、その隣りがＣ色彩というように、連続的に徐々に変化したグラデーションとなっている。その次の色彩変化領域（７−２）については、色彩変化領域（７−１）とグラデーションを構成している色彩がずれている。具体的には、色彩変化領域（７−１）では、左端がＲ色彩であったのに対し、色彩変化領域（７−２）では、左端がＲ色彩とＣ色彩の両方の色彩を備えたＲＣ色彩で、その隣りが色彩変化領域（７−１）では、Ｒ色彩とＣ色彩の両方の色彩を備えたＲＣ色彩であったのに対し、色彩変化領域（７−２）では、Ｒ色彩となっている。さらには、その隣りは、色彩変化領域（７−１）では、Ｃ色彩であったのに対し、色彩変化領域（７−２）では、Ｒ色彩とＣ色彩の両方の色彩を備えたＲＣ色彩となっている。
【００３６】
以上のとおり、隣り合うページ（６）同士において、グラデーションを形成している同じ箇所に該当する分岐点間の色彩が異なっている。このような構成とすることで、ページ（６）を連続的にめくると、色彩変化の状態が、第１の方向（Ｓ１）も第２の方向（Ｓ２）も両方に連続的な色彩変化を奏することとなり、他の冊子の真正なページ（６）を抜き取り、それを寄せ集めて冊子を構成させた場合、又は中間の１枚を抜き出すような偽造又は改ざんの行為があっても、より一層容易に判明することが可能となる。
【００３７】
色彩変化領域（７）内においてグラデーションを形成する場合についても、図７（ａ）に示すように、ページ（６）の中の一部（上部）に、ページ（６）の左右方向となる第２の方向（Ｓ２）に対して色彩が変化するグラデーションを形成しても良いし、図７（ｂ）に示すように、ページ（６）の中の一部（左端又は右端）に、ページ（６）の上下方向となる第３の方向（Ｓ３）に対して色彩が変化するグラデーションを形成しても良い。さらには、図７（ｃ）に示すように、ページ（６）全体においてグラデーションを形成しても良い。図７（ｃ）では、第２の方向（Ｓ２）に対してグラデーションが形成されているが、第３の方向（Ｓ３）に対してグラデーションを形成しても良い。ただし、ページ（６）の全体に形成する場合には、前述したとおり、後から記載される必要事項に影響しないような濃度とする必要がある。
【００３８】
次に、前述した第一の実施形態と第二の実施形態を組み合わせた例について、図８を用いて説明する。図８は、冊子（１）の複数のページ（６）を抜粋した図である。図８に示すように、複数のページ（６）には、三つの色彩変化領域（７ａ、７ｂ、７ｃ）が形成されている。
【００３９】
まず、一つ目の色彩変化領域（７ａ）は、ページ（６）全体に亘って形成されており、ページ（６−１）の色彩変化領域（７ａ−１）から第１の方向（Ｓ１）へ向かって最終のページ（６−ｎ）の色彩変化領域（７ａ−ｎ）へ色彩が変化している。
【００４０】
また、複数のページ（６）の一部に、第３の方向（Ｓ３）にグラデーションの色彩変化領域（７ｂ）が形成されている。このグラデーションの構成は、前述した構成と同じであるため省略する。なお、この色彩変化領域（７ｂ）については、図面上、ページ（６）の上下にわたって形成されているが、ページ（６）をめくった際に全部が視認できるものではないため、冊子として綴じてある側と反対側にだけ形成されていても良い。この色彩変化領域（７ｂ）は、ページ（６−１）の色彩変化領域（７ｂ−１）から第１の方向（Ｓ１）へ向かって最終のページ（６−ｎ）の色彩変化領域（７ｂ−ｎ）へグラデーションの色彩の配置が異なっている。
【００４１】
さらに、ページ（６）の一部に、第２の方向（Ｓ２）にグラデーションの色彩変化領域（７ｃ）が形成されている。このグラデーションの構成も、前述した構成と同じであるため省略する。なお、この色彩変化領域（７ｃ）については、図面上、ページ（６）の左右にわたって形成されているが、ページ（６）をめくった際に全部が視認できるものではないため、ページ（６）の中央まで形成されていなくとも良く、左右のどちらか一方のみでも良い。この色彩変化領域（７ｃ）も、ページ（６−１）の色彩変化領域（７ｃ−１）から第１の方向（Ｓ１）へ向かって最終のページ（６−ｎ）の色彩変化領域（７ｃ−ｎ）へグラデーションの色彩の配置が異なっている。
【００４２】
以上のとおり、色彩変化領域（７）をどのような態様で、また、どの位置に形成するかは適宜決定すれば良いが、あくまでも、隣り合うページ（６）においては、色彩が異なり、複数のページ（６）においては、連続的に色彩が変化するように形成する必要がある。
【００４３】
本発明の冊子（１）には、特徴点である色彩変化領域（７）以外に、図９（ａ）に示すように、形状変化模様（８）を形成しても良い。色彩変化領域（７）が、連続するページ（６）が連続的に変化するように視認させるため、異なるページ（６）では、色彩が異なるが、隣り合うページ（６）同士では、最も近似した色彩となり、複数のページ（６）を連続的にめくっていくと、色彩がグラデーションのように色彩が変化していくものであったが、形状変化模様（８）は、色彩ではなく、形状が連続的に変化し、複数のページ（６）を連続的にめくっていくと、動画的に視認させる効果を付随させても良い。
【００４４】
図９（ｂ）は、形状変化模様（８）のみを抜粋した拡大図である。形状変化模様（８）は、ページ（６）の中の端のページの形状変化模様（８−１）から、逆側の端の形状変化模様模様（８−ｎ）へ向かって（第１の方向（Ｓ１））徐々に形状が変化している。図９では、形状変化模様（８）は人間が歩行している状態を示しているが、これに限定せず、図形でも文字や数字でも構わない。図９（ｂ）に示すように、ページ（６）の中の端のページ（８−１）から徐々に形状が連続的に変化し、最終的なページ（６）の形状変化模様（８−ｎ）までの間に、人間が歩行している状態をページ（６）の一部に形成する。なお、形状変化模様（８）も前述の色彩変化領域（７）と同様、複数のページ（６）を連続的にめくって行くことで、形状変化模様（８）が動的に視認できるものである。これは、従来からよく知られているパラパラ漫画と同じ原理である。
【００４５】
次に、冊子（１）に色彩変化領域（７）を形成する方法について説明する。
【００４６】
まず、一般的なオフセット印刷機を用いた場合を説明する。本発明の色彩変化領域（７）は、図２に示したように、冊子（１）を構成している複数のページ（６）において、第１の方向（Ｓ１）に連続的に色彩が変化している場合と、図７（ａ）に示したように、冊子（１）の左右（長辺）方向となる第２の方向（Ｓ２）に対してグラデーションを構成している場合、さらに、図７（ｂ）に示したように、冊子（１）の上下（短辺）方向となる第３の方向（Ｓ３）に対してグラデーションを構成している場合がある。
【００４７】
図２に示したような複数の中ページ（６）において、連続的に色彩を変化させる方法としては、オフセット印刷機を稼動している中で、一定の濃度に達成後、図１０に示すインキ壺部（１３）のダクトローラ（１２）の回転角度を変化させ、指定した時間又は通紙枚数によりダクトローラ（１２）の最初の回転角度まで戻す。この間、ダクトローラ（１２）から転移しているインキ量は変化していくが、印刷される用紙までには、複数のローラやブランケットを介して印刷されるため、瞬時に色彩が変化するものではなく、徐々に色彩が変化していく。したがって、複数の用紙に印刷されていく色彩は、連続的に濃度が変化していくこととなる。
【００４８】
ダクトローラ（１２）の回転角度を変化させるには、制御部（図示せず）によりダクトローラ（１２）と後述する呼び出しローラ（１７）との接触時間により決定する。ダクトローラ（１２）の回転角度を大きくするには、ダクトローラ（１２）の回転速度を速くすればよく、そうすることによりインキ（１４）の転移量は多くなり、用紙には濃い濃度で印刷される。逆にダクトローラ（１２）の回転角度を小さくするには、ダクトローラ（１２）の回転速度を遅くすればよく、そうすることによりインキ（１４）の転移量は少なくなり、用紙には淡い濃度で印刷されることとなる。
【００４９】
なお、本発明の冊子（１）は、図１に示すように、複数のページ（６）から構成されているが、色彩変化領域（７）は、冊子形態に構成されてから形成されるものではなく、１枚ずつの枚葉紙又は連続した巻取紙に多面印刷された後、冊子の寸法に断裁されるため、冊子として構成する時に、濃度変化の状態に合わせて適宜構成すればよい。
【００５０】
また、異なる作製方法として、前述したインキ壺部（１３）のダクトローラ（１２）の回転角度は一定とし、インキ壺キー（１５）の開度を変更してもよい。インキ壺キー（１５）を調整することにより、第２の方向（Ｓ２）に対して濃度を変更することが可能となる。このインキ壺キー（１５）の調整については、インキ出し量自動調整機構（図示せず）により、各々のインキ壺キー（１５）の開閉度が変更され、インキ出し量を多くするためには、インキ壺キー（１５）の開度を大きくすればよく、隣り合うインキ壺キー（１５）間において開度を連続的に徐々に変更させればよい。この方法によっても、ダクトローラ（１２）から転移されていくインキ量が左右方向の第２の方向（Ｓ２）に対して変化してくこととなる。
【００５１】
前述したインキ壺キー（１５）は、ダクトローラ（１２）の回転角度による濃度の変更と同様、オフセット印刷機を稼動している中で一定の濃度に達成後、インキ壺キー（１５）の開度を変化させる。
【００５２】
次に、複数のページ（６）の１枚において、図６に示すような、グラデーションとする方法について説明する。オフセット印刷機を用いて第２の方向（Ｓ２）にグラデーションを形成するためには、図１１に示すように、インキ壺部（１３）内においてグラデーションを形成させるためのインキ仕切り板（１６）を設け、このインキ仕切り板（１６）を境に異なる２色以上のインキ（１４）を投入する。このインキ仕切り板（１６）によって仕切られた異なる色のインキ（１４）については、インキ壺部（１３）からインキを転移させていくための呼び出しローラ（１７）を経て、練りローラ（１８）がオフセット印刷機の搬送方向に対して左右方向にストロークしているため、異なる色のインキが練りローラ（１８）上において混色した状態となる。この練りローラ（１８）のストローク幅を適宜変更することで、混色領域は広くなったり、狭くなったりする。なお、このインキ仕切り板（１６）によって、異なる色のインキを混色させる印刷技術は、一般的には、レインボー印刷と言われている。レインボー印刷と言われているように、印刷物上では、単純な２色のインキが混色するものではなく、１色目の色から２色目の色まで徐々に色彩が変化し、その状態は、虹色を示すような違和感の無い色彩変化となっている。
【００５３】
この練りローラ（１８）のストローク幅を一定時間又は通紙枚数により変化させることで、グラデーションが形成されている色彩変化領域（７）の状態が印刷経過と共に変化していくこととなる。
【００５４】
また、図７（ｂ）に示したように、上下（短辺）方向の第３の方向（Ｓ３）に対してグラデーションを形成するためには、色彩変化領域（７）において、網点面積率を変化させることにより濃淡を設ける。この方法について、図１２を用いて説明する。
【００５５】
複数のページ（６）は、図１２に示すように、印刷時において多面判（２８）として作製する。本実施の形態では、縦５列、横４列の２０面判として作製するものとする。この多面判（２８）は、印刷機上では、第３の方向（Ｓ３）に用紙が搬送されるものであり、各横列は、全て同じグラデーションの配列をした色彩変化領域となっている。例えば、図１２では、図面上、最上列のページ（６−１）については、色彩変化領域（７−１）は、上からＡ色彩、Ｂ色彩、Ｃ色彩、Ｄ色彩、Ｅ色彩の順に配列されており、その下の列のページ（６−２）の色彩変化領域（７−２）については、グラデーションの配列が一つずつずれて、Ｂ色彩、Ａ色彩、Ｂ色彩、Ｃ色彩、Ｄ色彩の順に配列されており、さらに、下の列のページ（６−３、６−４、６−５）の色彩変化領域（７−３、７−４、７−５）へと順次色彩がずれて配列されている。
【００５６】
この各ページ（６）における色彩変化領域（７）のグラデーションについては、前述のとおり、版面上、網点面積率を異ならせて、濃度を変更することで形成することができる。
【００５７】
この多面判（２８）を用いて印刷した複数のページ（６）を１枚ごとに断裁し、グラデーションの順番が連続的に配列するように、上列のページ（６−１）から下列のページ（６−５）の順に冊子として形成すれば良い。
【００５８】
なお、図１２では、多面判１ページを５枚として第３の方向（Ｓ３）へ変化させているが、これに限定されるものではなく、多面判（２８）内の全てのページ（６）について、グラデーションが順次異なるように設計すれば、図１２の場合には、２０枚の異なる色彩のグラデーションを作製することが可能となる。したがって、色彩変化領域（７）を形成したいページ（６）の枚数に合わせて、多面判（２８）の面判数を適宜設定れば良い。
【００５９】
次に、インクジェットプリンター（以下、「ＩＪＰ」という。）を用いて作製する方法について説明する。
【００６０】
まず、ＩＪＰを設置した複合印刷機について説明する。本発明の冊子（１）には、特徴点の色彩変化領域（７）のみを印刷するものではないため、他の印刷を行うための、例えばオフセット印刷機構が必要となる。ＩＪＰとオフセット印刷機構が別々の印刷機として２回通しの印刷を行ってもよいが、効率的な工程を考慮し、１回通しの印刷機として図面に示す。
【００６１】
図１３は、オフセット印刷機の一部を利用し、ＩＪＰ（１９）を設置した例であり、図１３（ａ）は、複数のオフセットユニット機構において、一つ一つのユニットの圧胴（２２）（下部）に必要色数分のＩＪＰ（１９）を分散して取り付け、図８に示したようなページ全体をオフセットで印刷し、色彩変化領域をＩＪＰ（１９）で印刷することにより、多彩な色彩変化領域（７）を作製することが可能となる。また、図１３（ｂ）は、オフセットユニット機構とは別に、ＩＪＰ専用の印刷胴（２４）を設けて、そこにＩＪＰ（１９）を設置した場合である。
【００６２】
このＩＪＰを用いて色彩変化領域（７）を形成する場合、一度に広範囲の印刷をすることが出来ないため、図３（ｃ）及び図７（ｃ）に示すようなページ（６）全体に印刷することには好ましくない。したがって、図３（ａ）及び（ｂ）に示すような部分的な色彩変化領域（７）、特に、ＩＪＰの特徴点として１枚ごとにデータを変更することができるので、図７（ａ）及び（ｂ）のようなグラデーションの色彩変化領域（７）をＩＪＰで形成することは好ましい。
【００６３】
また、トナー式のデジタル印刷ユニット（２６）とオフセット印刷ユニット（２７）を連結した印刷機を図１４に示す。現在のデジタル印刷機構にはＩＪＰではなくトナー式が開発されており、この印刷機構を用いる場合は、オフセット印刷機構との連結によって幅広い印刷物を作製することが可能となる。このようなデジタル複合印刷機（２５）を用いることで、色彩豊かな色彩変化領域（７）を比較的容易に作製することが可能となる。
【００６４】
さらに、ＩＪＰ又はトナー式のデジタル印刷機構を用いることで、図９に示したようなページ（６）の１枚ごとに形状が異なる形状変化模様（８）を形成することが容易に可能となる。特に、図１４に示したデジタル複合印刷機（２５）を用いることにより、ページ（６）の全体にオフセット印刷ユニット（２７）により、図４に示すような色彩変化領域（７）を形成し、一部には、デジタル印刷ユニット（２６）により、図９に示すような形状変化模様（８）を形成することが容易に可能となる。
【符号の説明】
【００６５】
１          偽造及び改ざん防止冊子
２          表紙の見返しページ
３          顔写真
４          個人情報
５          冊子番号
６          ページ
７          色彩変化領域
８          形状変化模様
９          表紙
１０          裏表紙
１１          綴じ部
１２          ダクトローラ
１３          インキ壺部
１４          インキ
１５          インキ壺キー
１６          インキ仕切り板
１７          呼び出しローラ
１８          練りローラ（ストロークローラ）
１９          ＩＪＰ
２０          オフセット版胴
２１          ブラン胴
２２          圧胴
２３          渡し胴
２４          ＩＪＰ専用胴
２５          デジタル複合印刷機
２６          デジタル印刷ユニット
２７          オフセット印刷ユニット
２８          多面判
Ｓ１          第１の方向
Ｓ２          第２の方向
Ｓ３          第３の方向
【図１】
2016060100.tif 000003
【図２】
2016060100.tif 000004
【図３】
2016060100.tif 000005
【図４】
2016060100.tif 000006
【図５】
2016060100.tif 000007
【図６】
2016060100.tif 000008
【図７】
2016060100.tif 000009
【図８】
2016060100.tif 000010
【図９】
2016060100.tif 000011
【図１０】
2016060100.tif 000012
【図１１】
2016060100.tif 000013
【図１２】
2016060100.tif 000014
【図１３】
2016060100.tif 000015
【図１４】
2016060100.tif 000016